(57)【要約】【課題】  従来の記録再生装置には記録された番組プログラムの一覧表示において、表示領域が限られておりあまり多くの文字を表示できないという問題があった。【解決手段】  記録された番組プログラムの一覧表示を行うときに、タイトル名の文字列比較を行い、同一文字列は省略して表示を行うことでより多くの文字を表示できるようにする。【選択図】        図１
2007104366.tif 000002
【特許請求の範囲】
【請求項１】
番組プログラムガイド情報を受信する受信手段と、
番組プログラムを受信する受信手段と、
上記番組プログラムガイド情報と番組プログラムを記録媒体に記録する記録手段と、
記録済みの番組プログラムの一覧を表示する表示手段と、
上記記録済みの番組プログラムのタイトル名のうち同一部分を省略して表示する省略表示処理部と、を備えていることを特徴とする記録再生装置。
【請求項２】
請求項１記載の記録再生装置において、
上記省略表示処理部は、上記記録済みの番組プログラムのタイトル名のうち同一部分の省略表示を判定する省略表示判定部と、上記省略表示判定部の判定結果を用いて、タイトル名のうち同一文字列部分を省略した一覧画面を作成する一覧画面作成部を備えている記録再生装置。
【請求項３】
請求項２記載の記録再生装置において、上記省略表示判定部は、上記記録済みの番組プログラムのタイトル名の文字列を比較することにより、一定以上の長さの同一文字列部分の有無を検出して、同一部分の省略表示を判定し、上記一覧画面作成部は、後続のタイトル名のうち、上記同一文字列部分を省略して一覧画面を作成することを特徴とする記録再生装置。
【請求項４】
請求項３記載の記録再生装置において、省略された同一文字列部分について他の非省略部分とは異なった省略を示す表示方法を用いることを特徴とする記録再生装置。
【請求項５】
請求項２記載の記録再生装置において、記録したチャンネル番号および時刻を省略する際の判定条件に用いることを特徴とする記録再生装置。
【請求項６】
請求項１記載の記録再生装置において、記録した番組プログラムガイド情報のシリーズ情報を使用することでシリーズ番組間においてのみタイトル名を省略して表示することを特徴とする記録再生装置。
【発明の詳細な説明】
【技術分野】
【０００１】
本発明は、記録再生装置に関する。
【背景技術】
【０００２】
記録再生装置に関し、以下のような従来例がある。
特許文献１には、記録再生装置において、番組プログラムと番組プログラムガイド情報を同時に記録する技術が記載されている。このような発明では記録した番組プログラムの情報を一覧表示することができるため、非常に便利である。
【特許文献１】特開平９−２４５４６３号公報
【発明の開示】
【発明が解決しようとする課題】
【０００３】
しかしながら、上述の装置のように番組プログラムガイド情報も同時に記録する装置において、記録した番組プログラムの情報を一覧表示する場合には画面に表示できる領域は限られていることが多く、あまり多くの文字を表示することができない。全ての文字を表示することができない場合、文字列の先頭から表示され、表示領域内に表示しきれない残りの部分は省略され、三点リーダ（…）などの記号に置き換えられて表示されることが多い。
【０００４】
また、番組プログラム情報の中で一番重要な要素であるタイトル名においては、例えば連続ドラマのような番組の場合、前半に番組のシリーズ名、後半にその回のタイトル名といったように前半部に同一の文字列が用いられることが多く、一覧表示の利便性が損なわれている場合が多い。
【０００５】
本発明は、そのような状況に鑑みてなされたもので、番組プログラム情報の一覧表示において限られた領域にできるだけ多くの情報を表示することができるようにするものである。
【課題を解決するための手段】
【０００６】
上記課題を解決するために、本発明の記録再生装置は、番組プログラムガイド情報を受信する受信手段と、番組プログラムを受信する受信手段と、上記番組プログラムガイド情報と番組プログラムを記録媒体に記録する記録手段と、記録済みの番組プログラムの一覧を表示する表示手段と、上記記録済みの番組プログラムのタイトル名のうち同一部分を省略して表示する省略表示処理部と、を備えていることを特徴とする。
【発明の効果】
【０００７】
本発明は、記録された番組プログラムの一覧表示において、限られた表示領域でより多くの情報を表示することができ、非常に便利であるという効果を奏する。
【発明を実施するための最良の形態】
【０００８】
以下に、本発明による記録再生装置の実施形態の一例を図面に基づいて説明する。
【実施例１】
【０００９】
図１は、本発明による記録再生装置の実施例１における構成の一例であり、  チューナ部２、デマルチプレクサ部３、記録制御部４、番組プログラムガイド情報処理部５、記録手段部６、記録媒体７、再生手段部８、入力手段９、再生制御部１０、省略表示判定部１１、再生信号処理部１２、一覧画面作成部１３から構成されている。省略表示処理部１４は、省略表示判定部１１と一覧画面作成部１３から構成される。
【００１０】
アンテナ部１で受信された電波はチューナ部２で復調されたのち、デマルチプレクサ部３で番組プログラムガイド情報と、番組プログラムに分離される。番組プログラムガイド情報は番組プログラムガイド情報処理部５にて記録のための処理が行われたのちに、番組プログラムとともに記録手段部６により記録媒体７に記録される。
【００１１】
番組プログラムの再生の際には、記録媒体７に記録されたデータは再生手段部８により読み出され、再生制御部１０により再生信号処理部１２に送られ、そこで番組プログラムが再生され出力信号として出力される。
【００１２】
リモコンなどの視聴者からの入力を受け付ける入力手段９から記録済み番組プログラムの一覧表示が指示された場合、記録媒体７に記録されたデータを再生手段部８が読み出す。再生制御部１０が読み出されたデータのなかから番組プログラムガイド情報を取り出し、一覧画面作成部１３に送る。一覧画面作成部１３は省略表示判定部１１にて各番組プログラムについて省略表示を行うかどうかを判定し、その判定結果を用いて記録済み番組プログラムの一覧表示画面を作成する。作成された画面は再生信号処理部１２に送られ、出力信号として出力される。
【００１３】
図２は、本発明の実施例１における受信機に記録されている番組プログラムガイド情報の例である。各番組プログラムについて、放送されたチャンネル、放送日時、番組のタイトル名が記録されている。上の３つの番組プログラムは毎週放送されるシリーズ番組を記録したものであり、番組のタイトル名はシリーズ名と各回のサブタイトルから構成されている。
【００１４】
図３に、本発明による記録再生装置の実施例１における記録済み番組プログラムの一覧表示画面を示す。
本実施例１では、１画面中に５つの番組プログラムの情報を表示することが可能である。
各番組プログラムについて、放送されたチャンネル、放送日時、番組のタイトル名が表示される。
このとき、各番組プログラムについて、一つ前の番組プログラムとタイトル名の文字列の比較を行う。文字列の先頭部分に一定以上の長さの同一部分がある場合、記録再生装置は２つの番組プログラムを関連のあるものとみなし、後続のタイトル名のうち同一文字列部分を省略し‘〃’記号に置き換えて表示をする。
その結果、表示領域内に省略を行わなかった場合に比べより多くの文字列を表示することができ、タイトル名による判別が容易となる。
【００１５】
なお、比較として従来の記録再生装置による記録済み番組プログラムの一覧表示画面を図４に示す。これらを比較すれば、本実施例によってより多くの情報を限られた表示領域に表示することができることは明白である。
【実施例２】
【００１６】
上記実施例１では、番組プログラムガイド情報のタイトル名に記録再生装置による省略が行われたかどうかが利用者には判別不可能である。本発明の実施例２では、記録再生装置が省略表示を行う場合には、通常のものと表示を変えることによってこれらを利用者が判別することができるようにする。具体的には、文字の色や、背景色を変更する、フォントを変更する（イタリックやボールドなど）、フォントの装飾を行う（縁取りなど）、文字のサイズを変えて省略部は通常部と異なる文字サイズで表示する、などが挙げられる。
【実施例３】
【００１７】
また上記実施例では純粋に文字列の比較のみを行って省略表示を行っているが、ごく一般的な文字列が番組のタイトル名に含まれている場合には不必要な場合においても省略表示を行ってしまう可能性がある。そこで、省略を行いたいような文字列はすなわち同一シリーズ番組のタイトルといった関連性のある文字列であり、このような番組は周期的な条件（毎週の曜日と時刻が一定である、または平日の一定時刻に放送されるなど）を持つことが多いことに着目し、文字列比較に加えて記録したチャンネルおよび時刻の比較を省略表示判定条件に追加し、例えば同じ曜日の近い時間帯であるときにのみ関連のある番組プログラムであると見なして省略を行うことでこれらの不必要な省略表示を防ぐことができ、より効率的な記録済み番組プログラム一覧表の表示を行うことができる。
【実施例４】
【００１８】
また、例えばデジタル放送においては伝送されている番組プログラムガイド情報の中に、番組のシリーズを表す記述子が含まれていることがある。この情報を用いて番組プログラムガイド情報の省略表示の判定を行うことも可能である。
【００１９】
上記各実施例における番組プログラムガイド情報は、番組プログラムの伝送されているものと同一の伝送路により伝送されているものとしたが、まったく別の伝送路、例えばインターネット上の電子番組表などより取得しても良いことは明白である。
【００２０】
また、上記実施例では省略表示を行う条件についても記録再生装置にあらかじめ内蔵されているものとしたが、このような条件を視聴者により設定可能とすることもできることは明白である。
【図面の簡単な説明】
【００２１】
【図１】図１は、本発明による記録再生装置の実施例１の機能ブロック図である。
【図２】図２は、本発明の実施例１における受信機に記録されている番組プログラムガイド情報の例である。
【図３】図３は、本発明の実施例１における記録された番組プログラムの一覧表示画面例である。
【図４】図４は、従来例における記録された番組プログラムの一覧表示画面例である。
【符号の説明】
【００２２】
１    アンテナ
２    チューナ部
３    デマルチプレクサ部
４    記録制御部
５    番組プログラムガイド情報処理部
６    記録手段部
７    記録媒体
８    再生手段部
９    入力手段
１０    再生制御部
１１    省略表示判定部
１２    再生信号処理部
１３    一覧画面作成部
１４    省略表示処理部
【図１】
2007104366.tif 000003
【図２】
2007104366.tif 000004
【図３】
2007104366.tif 000005
【図４】
2007104366.tif 000006